【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
ズーミング機能を有し、カメラ装置に着脱可能なレンズ装置であって、
前記カメラ装置での撮像により得られた画像データに対する光量補償処理のための情報を複数の焦点距離のそれぞれに関して記憶する記憶部と、前記カメラ装置に対して前記情報を送信する通信部を有し、
前記情報は、像高に関するｎ次多項式（ｎは、非負の整数）の係数の情報を含み、
絞り開放かつ広角端での実効ＦナンバーをＦｎｗ、絞り開放かつ望遠端での実効ＦナンバーをＦｎｔ、望遠端での焦点距離をｆｔとしたとき、前記記憶部は、前記複数の焦点距離のそれぞれに関して、
０．９＜ｆ／（ｆｔ×Ｆｎｗ／Ｆｎｔ）＜４
なる条件式を満足する焦点距離ｆの対数が、前記条件式を満足しない焦点距離ｆの対数よりも密になるように、前記情報を記憶していることを特徴とするレンズ装置。
【請求項２】
Δｆを、広角端での焦点距離をｆｗとして式
Δｆ＝０．２×（ｆｔ−ｆｗ）
で定義されるものとし、前記複数の焦点距離のうち、（ｆ−Δｆ）以上（ｆ＋Δｆ）以下の範囲に含まれる焦点距離の数をＮ（ｆ±Δｆ）とし、絞り開放かつ焦点距離ｆでの実効ＦナンバーをＦｎｆとし、絞り開放かつ焦点距離ｆ−Δｆでの実効ＦナンバーをＦｎ（ｆ−Δｆ）とし、絞り開放かつ焦点距離ｆ＋Δｆでの実効ＦナンバーをＦｎ（ｆ＋Δｆ）として、条件式
０．５＜（Ｆｎ（ｆ＋Δｆ）−Ｆｎｆ）−（Ｆｎｆ−Ｆｎ（ｆ−Δｆ））＜５．０
を満足する焦点距離ｆの範囲において、条件式
０．０１＜（（Ｆｎ（ｆ＋Δｆ）−Ｆｎｆ）−(Ｆｎｆ−Ｆｎ（ｆ−Δｆ）））／Ｎ（ｆ±Δｆ）＜０．２
を満足することを特徴とする請求項１に記載のレンズ装置。
【請求項３】
ズームレンズ群と、フォーカスレンズ群と、開口絞りとを含み、
前記情報は、前記ズームレンズ群の状態と、前記フォーカスレンズ群の状態と、前記開口絞りの状態との間の複数の組合せのそれぞれに関するものであることを特徴とする請求項１または請求項２に記載のレンズ装置。
【請求項４】
前記係数は、像高をｈとして、前記ｎ次多項式としての３次多項式
Ｄｃ＝Ｃ３×ｈ３＋Ｃ２×ｈ２＋Ｃ１×ｈ＋Ｃ０
における係数Ｃ０、係数Ｃ１、係数Ｃ２、および係数Ｃ３を含み、
前記係数Ｃ２および前記係数Ｃ３は、条件式
−０．１＜Ｃ２＋６×Ｃ３＜０．３
を満足することを特徴とする請求項１ないし請求項３のうちいずれか１項に記載のレンズ装置。
【請求項５】
前記係数は、像高をｈとして、前記ｎ次多項式としての４次多項式
Ｄｃ＝Ｃ４×ｈ４＋Ｃ３×ｈ３＋Ｃ２×ｈ２＋Ｃ１×ｈ＋Ｃ０
における係数Ｃ０、係数Ｃ１、係数Ｃ２、係数Ｃ３、および係数Ｃ４を含み、
前記係数Ｃ３および前記係数Ｃ４は、条件式
−０．１＜Ｃ３＋８×Ｃ４＜０．１
を満足することを特徴とする請求項１ないし請求項３のうちいずれか１項に記載のレンズ装置。
【請求項６】
前記係数のうち、前記ｎ次多項式における０次の項の係数のみを前記カメラ装置に送信する動作モードを有することを特徴とする請求項１ないし請求項５のうちいずれか１項に記載のレンズ装置。
【請求項７】
前記レンズ装置のズーム状態Ｚでの前記ｎ次多項式における０次の項の係数をＣ０（Ｚ）とし、絞り開放かつ前記ズーム状態Ｚでの実効ＦナンバーをＦｎ（Ｚ）として、条件式
０．７＜Ｃ０（Ｚ）×（Ｆｎｗ／Ｆｎ（Ｚ））２＜１．３
を満足することを特徴とする請求項１ないし請求項６のうちいずれか１項に記載のレンズ装置。
【請求項８】
最も物体側に配置され、ズーミングのためには移動せず、フォーカスレンズ群を含み、かつ正の屈折力を有する第１レンズ群を有することを特徴とする請求項１ないし請求項７のうちいずれか１項に記載のレンズ装置。
【請求項９】
光路に対する挿抜が可能なエクステンダレンズ群と、
前記挿抜の状態を検出する検出部を有し、
前記状態に基づいて、前記係数を変更することを特徴とする請求項１ないし請求項８のうちいずれか１項に記載のレンズ装置。
【請求項１０】
前記記憶部は、前記複数の焦点距離のそれぞれに関して、
０．９５＜ｆ／（ｆｔ×Ｆｎｗ／Ｆｎｔ）≦１．７
なる条件式を満足する焦点距離ｆの対数が、前記条件式を満足しない焦点距離ｆの対数よりも密になるように、前記情報を記憶していることを特徴とする請求項１ないし請求項９のうちいずれか１項に記載のレンズ装置。
【請求項１１】
請求項１ないし請求項１０のうちいずれか１項に記載のレンズ装置と、
前記レンズ装置により形成された像を撮像する撮像素子を有することを特徴とする撮像装置。
【請求項１２】
請求項１ないし請求項１０のうちいずれか１項に記載のレンズ装置から受信した前記情報に基づいて、前記光量補償処理を行うことを特徴とする処理装置。
【請求項１３】
請求項１２に記載の処理装置を含むことを特徴とするカメラ装置。
【手続補正２】
【補正対象書類名】明細書
【補正対象項目名】０００５
【補正方法】変更
【補正の内容】
【０００５】
特許文献３は、倍率色収差および周辺光量低下の補正に関する情報を有し、撮像装置からの指令に基づいて、撮像装置に当該情報を送信するレンズ装置を開示している。
【手続補正３】
【補正対象書類名】明細書
【補正対象項目名】０００９
【補正方法】変更
【補正の内容】
【０００９】
上記目的を達成するため、本発明のレンズ装置は、ズーミング機能を有し、カメラ装置に着脱可能なレンズ装置であって、前記カメラ装置での撮像により得られた画像データに対する光量補償処理のための情報を複数の焦点距離のそれぞれに関して記憶する記憶部と、前記カメラ装置に対して前記情報を送信する通信部を有し、前記情報は、像高に関するｎ次多項式（ｎは、非負の整数）の係数の情報を含み、絞り開放かつ広角端での実効ＦナンバーをＦｎｗ、絞り開放かつ望遠端での実効ＦナンバーをＦｎｔ、望遠端での焦点距離をｆｔとしたとき、前記記憶部は、前記複数の焦点距離のそれぞれに関して、
０．９＜ｆ／（ｆｔ×Ｆｎｗ／Ｆｎｔ）＜４
なる条件式を満足する焦点距離ｆの対数が、前記条件式を満足しない焦点距離ｆの対数よりも密になるように、前記情報を記憶していることを特徴とする。
【手続補正４】
【補正対象書類名】明細書
【補正対象項目名】００５７
【補正方法】変更
【補正の内容】
【００５７】
但し、Ｃ４、Ｃ３、Ｃ２、Ｃ１、Ｃ０はそれぞれ像高ｈの４次、３次、２次、１次、０次の係数である。ここでＣ４、Ｃ３、Ｃ２、Ｃ１、Ｃ０それぞれの係数の値は、少なくともズーム、フォーカス、アイリスの状態に依存する。条件式（７）で示される４次式で像高方向の補正データを規定することで、例えば、特定のズーム、フォーカス、アイリスの条件での補正データ数は、各次数のデータのみを保持すればよく、保持データ容量の削減が可能となる。
【手続補正５】
【補正対象書類名】明細書
【補正対象項目名】００８２
【補正方法】変更
【補正の内容】
【００８２】
１０４〜１０６は、第１レンズ群Ｆ、変倍部ＬＺの光軸上の位置、開口絞りＳＰの絞り径等の検出のためのエンコーダやポテンショメータ、あるいはフォトセンサなどの検出器である。カメラ２０において、２１はカメラ２０内の光学フィルタや色分解光学系に相当するガラスブロック、２２はレンズ装置１０によって形成された被写体像を受光するＣＣＤセンサやＣＭＯＳセンサなどの撮像素子（光電変換素子）である。また、２３、１２２はカメラ２０およびレンズ装置１０の各種駆動を制御するＣＰＵである。
【手続補正６】
【補正対象書類名】図面
【補正対象項目名】図１
【補正方法】変更
【補正の内容】
【図１】
2020042158.tif 000001